(57)【要約】  本発明は、２つの部分２１、２２に分割され、連結ピン２３によって相互連結されたロック・スピンドルに関する。本発明は特に、ソレノイド錠に関する。本発明は、分割されたスピンドルに加えられた外力の、反対側スピンドル及び錠のその他の部品上での影響を排除する。分割されたスピンドルは、断面が丸い連結ピン２３、第１のスピンドル２１、及び第２のスピンドル２２を備える。連結ピンは、スピンドル部分が連結ピンに対して回転するようにスピンドル部分に連結できる。
2009536279.tif 000002
【特許請求の範囲】
【請求項１】
第１のスピンドル部分（２１）、第２のスピンドル部分（２２）、前記スピンドル部分を相互連結する連結ピン（２３）を備え、両方の部分が前記連結ピン（２３）用のボア（２７、２８）を備える錠の分割されたスピンドルであって、前記連結ピン（２３）が、断面が丸く、前記ピンの表面の周りを通る、前記連結ピンのシャフトに対して横断方向にその端部の両方に近接した溝（３１、３２）があり、
両方のスピンドル部分（２１、２２）が、スピンドル・シャフトに対して横断方向に、前記連結ピン用の前記ボア（２８、２７）に接触する装着穴（２９、３０）を有し、
前記分割されたスピンドルが、前記装着穴（２９、３０）に装着可能であり、前記スピンドル部分に固有の前記コッタが前記連結ピンの端部に近接した前記横断方向の溝に落ち込むように、前記連結ピンが前記スピンドル部分内の前記穴（２８、２７）に装着され、前記コッタ（２４、２５）が前記装着穴（２９、３０）に装着された場合に、回転する様式で前記スピンドル部分を前記連結ピンに連結する、各スピンドル部分に固有のコッタ（２４、２５）を備えることを特徴とするスピンドル。
【請求項２】
前記コッタ（２５）のうちの少なくとも１つが前記コッタの前記シャフトに対して横断方向の装着ロッド（３３）を備え、前記スピンドル部分（２１、２２）のうちの少なくとも１つが、前記装着穴（３０）に連結されたその表面に溝（３４）を備え、前記コッタ（２５）が前記スピンドル部分の装着穴にあるように、前記コッタの前記装着ロッドが前記スピンドル部分の前記表面の前記溝（３４）に装着可能であることを特徴とする、請求項１に記載のスピンドル。
【請求項３】
前記スピンドル部分の前記表面の前記溝（３４）が、前記スピンドル部分の前記シャフトに対して傾斜し、又は平行であることができることを特徴とする、請求項２に記載のスピンドル。
【請求項４】
前記コッタ（２４、２５）の断面が丸いことを特徴とする、請求項１から３までのいずれかに記載のスピンドル。
【請求項５】
前記連結ピン（２３）が、その中間点に対して長手方向に対称であることを特徴とする、請求項１から４までのいずれかに記載のスピンドル。
【請求項６】
前記連結ピン（２３）が、その中間点に対して長手方向に非対称であることを特徴とする、請求項１から４までのいずれかに記載のスピンドル。
【請求項７】
前記連結ピンの前記横断方向の溝（３１、３２）の断面が長方形又は弓形であることを特徴とする、請求項１から６までのいずれかに記載のスピンドル。
【請求項８】
前記スピンドル部分（２１、２２）のうちの少なくとも１つがハンドルを装着するための第３のボア（２６）を備えることを特徴とする、請求項１から７までのいずれかに記載のスピンドル。
【請求項９】
前記連結ピン（２３）の前記端部が斜面になっていることを特徴とする、請求項１から８までのいずれかに記載のスピンドル。
【請求項１０】
前記スピンドル部分（２１、２２）の前記端部のうちの少なくとも１つが斜面になっていることを特徴とする、請求項１から９までのいずれかに記載のスピンドル。
【発明の詳細な説明】
【技術分野】
【０００１】
本発明は、２つの部分に分割され、連結ピンによって相互連結された錠のスピンドルに関する。本発明は分割されたスピンドルを備える錠にも関する。本発明は、特にソレノイド錠タイプ及び対応する機械的錠タイプに関する。
【背景技術】
【０００２】
図１は、２つのスピンドル部分４、５、及びこれらを相互連結する連結ピン６からなる従来技術の分割されたスピンドルを示す。図１の実施例では、連結ピンは、ボルト６の駆動端部１５が他のスピンドル部分５を通過する穴の範囲内に保たれるように、ボルトのねじ山によってスピンドル部分４のうちの１つの穴にねじ込まれる１片のボルトである。駆動端部１５は、駆動端部がその工具用に機械加工された工具のタイプに応じて、たとえばアレンレンチによってスピンドル部分５の穴を通って回転できる。分割されたスピンドルのスピンドル部分４、５は互いに独立に回転できる。
【０００３】
所望のタイプのハンドルを各スピンドル部分に取り付けることができる。図１の実施例では、スピンドル部分５、４は、レバー・ハンドル３、２を取り付けられている。ロック・カバー・プレートは図１には示されない。いくつかの実施例では、ハンドルはスピンドルに取り付けられないが、たとえば軸受け及びロッキング・リングを使用してロック・カバー・プレートに取り付けられる。
【０００４】
図１の実施例では、ソレノイド錠（又は相当する機械的なタイプの錠）が扉１に取り付けられ、分割されたスピンドルがこれに装着される。この説明に必要な錠の部品のみが図示されている。錠本体８が、スピンドル部分５、４の両方に関して、従動部９及び駆動部１０、１１を取り付けられている。ハンドル３が扉１を開扉するために回転される場合、スピンドル部分５が回転し、同時にそのスピンドル部分に固有の駆動部１０を回転する。駆動部１０は、スピンドルに加えられたねじり力を、ロックボルトに連結され、錠を開く従動部９に伝達する。同様に、ハンドル２が扉１を扉の反対側から開扉するために回転される場合、スピンドル部分４が回転し、同時にそのスピンドル部分に固有の駆動部１１を回転する。駆動部はねじり力を従動部９に伝達する。
【０００５】
さらに、スピンドル部分５と４の間にセパレート・ワッシャ７がある。セパレート・ワッシャは、従動部９がスピンドル部分の間の間隙に落ち込むスリーブ・リングを取り付けられているので、いくつかの実施例では必要でない。
【０００６】
図１では、ハンドル３及びスピンドル部分５は扉の内側に、いわゆる出口側にある。これは、扉が必要に応じてハンドル３を使用して常に開扉できることを意味する。この実施例は、いかなるデッドロック構成（ｄｅａｄｌｏｃｋｉｎｇ  ａｒｒａｎｇｅｍｅｎｔ）も考慮していない。言い換えれば、スピンドル部分５から駆動部１０を通って従動部９に常に連結がある。
【０００７】
ハンドル２及びスピンドル部分４は扉の外側に、いわゆる制御側にある。これは、ハンドル２及びスピンドル部分４に加えられたねじり力が、錠の従動部に伝達することが防止できることを意味する。この場合、ハンドル２はデッドターンを行い、扉はたとえば錠が機械的な鍵によって開けられた場合にのみ開扉できる。ねじり力の伝達は、ソレノイドを使用して制御側で防止され、それによって扉が施錠される。
【０００８】
図１の実施例の問題点は、ハンドルが回転される間、スピンドルに作用する十分な力がハンドル２及びスピンドル部分４に、特にスピンドルの長手方向に加えられた場合、施錠された扉が外側からそれでも開扉できることにある。力１２は、押す力、引く力、側方の力のいずれかであることができる。
【０００９】
たとえば、ハンドル２が力によって押された場合、スピンドル部分４は、扉の内側に向かって移動し、同時に駆動部１１を従動部９に向かって押す。十分な摩擦面１３が従動部９と駆動部１１の間の接触面に形成され、それによってハンドル２から従動部９への連結が形成される。ハンドルを力強く押し、回転させることを同時に行うと、望ましくない開錠が起こる。
【００１０】
ハンドル２が力によって引かれる場合、摩擦面１４が内側のスピンドル部分５とボルトの駆動端部１５との間に形成される。強い引く力により、摩擦面は、同時のハンドル２への回転力のトルクを内側のスピンドル部分５を介して駆動部１０及び従動部９へ伝達するのに十分である。ハンドル２への強い引き及び回転の同時の力により、その内側の駆動部１０を介して錠の望ましくない開放が生じる。
【００１１】
あるタイプの錠及び／又はハンドルでは、側方の成分を含むスピンドルに加えられた力により、上述した望ましくない開錠の場合のどちらかが生じる可能性もある。
【発明の開示】
【発明が解決しようとする課題】
【００１２】
本発明の目的は、上述の問題を解消することである。目的は、特許請求の範囲に示されるように達成される。
【課題を解決するための手段】
【００１３】
本発明は、分割されたスピンドルに加えられた外力の、反対側スピンドル及び錠のその他の部品上での影響を排除する。分割されたスピンドルは、断面が丸い連結ピン、内側のスピンドル、及び外側のスピンドルを備える。連結ピンは、スピンドルが連結ピンに対して回転するようにスピンドルに装着できる。連結ピンとスピンドルの間の取り付け具は、スピンドル・シャフトの方向で内側又は外側のスピンドルに加えられる力及び同時の回転が、連結ピン及び反対側のシャフトに十分な伝達の連結を形成しないように構成される。
【００１４】
連結ピンの外表面の周りを通る、連結ピンの端部に接近した溝がある。スピンドル部分は、連結ピン用のボア及びコッタ・ピンを取り付ける装着穴を有する。連結ピンがスピンドル部分の中のボア内にある場合、コッタ・ピンは、連結ピンの端部に近接した横断方向の溝に嵌合でき、したがってスピンドル部分とコッタ・ピンを回転する様式で連結する。回転及び比較的小さな表面積によりコッタ・ピンと連結ピンの間に十分な摩擦が発生しないので、これによって押し、又は側方の引き／押しによって生じる十分に大きな摩擦力の形成が防止される。
【００１５】
以下に、本発明を図面を参照してより詳細に説明する。
【実施例】
【００１６】
図２は、部品が分離された本発明による分割されたスピンドルの実施例を示す。分割されたスピンドルは、第１のスピンドル部分２１、第２のスピンドル部分２２、及びスピンドル部分を連結する連結ピン２３を備える。両方のスピンドル部分は、連結ピン２３用のボア２７、２８を備える。連結ピン２３は、断面が丸く、ピンの表面の周りを通って、連結ピンのシャフトに対して横断方向にその端部の両方に近接した溝３１、３２がある。両方のスピンドル部分２１、２２は、スピンドル・シャフトに対して横断方向に、連結ピン用のボア２８、２７に接触する装着穴２９、３０を有する。
【００１７】
分割されたスピンドルは、装着穴２９、３０に嵌合できる各スピンドル部分に固有のコッタ２４、２５も備える。コッタは、スピンドル部分に固有のコッタが連結ピンの端部に近接した横断方向の溝に落ち込むように、連結ピンがスピンドル部分内のボア２８、２７に嵌合され、コッタが装着穴２９、３０に嵌合された場合に、回転する様式でスピンドル部分を連結ピンに連結するのに使用できる。図３は、分割されたスピンドルが組み立てられた実施例を示す。
【００１８】
スピンドルを別個の工具を使用せずに錠本体に装着することを可能にするために、コッタ２５のうちの少なくとも１つがコッタのシャフトに対して横断方向の装着ロッド３３を備え、スピンドル部分２１、２２のうちの少なくとも１つが装着穴３０に連結されたその表面に溝３４を備えることが推奨される。コッタの装着ロッドは、コッタ２５がスピンドル部分の装着穴にあるように、スピンドル部分の表面の溝３４に装着可能である。スピンドル部分の表面の溝２４は、スピンドル部分のシャフトに対して傾斜し、又は平行であることができる。
【００１９】
コッタ２４、２５の断面は、好ましくは丸くなっている。丸い形状は、製造及び装着穴２９、３０の形状の観点から好ましいものである。丸い形状は、コッタ２４、２５と連結ピン２３の横断方向の溝との間の摩擦を最小限に抑え、同時に可能な限り低い摩擦によって連結ピン２３に対するスピンドル部分の回転を促進するためにも好ましいものでもある。当然のことながら、本発明の１つの実施例は、その他の断面を有するコッタと共に実施することもできる。
【００２０】
連結ピン２３は、その中間点に対して長手方向に対称であることができる。この場合、スピンドル部分のボア２８、２７は、等しい直径を有し、連結ピンはスピンドル部分に対してどちらの方向にも装着可能である。連結ピンは、たとえば連結ピンの一方の端部が他方の端部よりも厚いように非対称であることもできる。この場合には、スピンドル部分のボアの直径は、他方のスピンドル部分のボアの直径とも異なる。図２及び３は、そのような連結ピンを示す。
【００２１】
スピンドル部分２１、２２のうちの少なくとも１つがハンドルを取り付けるための第３のボア２６を備えることができる。ボアは、たとえばねじを使用してスピンドルに直接的に、又は軸受け及びロッキング・リングを使用してロック・カバー・プレートに対して、分割されたスピンドルのスピンドル部分にハンドルを取り付けることを可能にする。
【００２２】
連結ピン内の横断方向の溝３１、３２の断面は、たとえば長方形又は弓形であることができる。連結ピン２３の端部は、図２及び３の実施例に示されるように斜面にすることもできる。スピンドル部分２１、２２の端部のうちの少なくとも１つが斜面になっていることも可能である。
【００２３】
図２及び３の分割されたスピンドルは、どちらの方式でも扉に装着できる。たとえば、第１のスピンドル部分２１が内側のスピンドルとして機能し、第２のスピンドル部分２２が外側のスピンドルとして機能できる。コッタ２５のうちの１つが装着ロッド３３を有し、装着者はコッタを装着穴３０に嵌入するどのような別個の工具も必要としない。図２及び３の実施例によれば、組み付けられた内側のスピンドル２１を押して錠のスピンドル穴を通すことができ、その後外側のスピンドル部分２２を連結ピンに押し、装着ロッド３３を使用して、コッタ２５を定位置に圧入することができる。外側のハンドルは、外側のスピンドルの表面の溝３４に装着ロッドを固定する。必要であれば、分割されたスピンドル内の両方のコッタには装着ロッドを取り付けることができる。装着ロッドを伴って提供される分割されたスピンドルは、装着するのが容易である。
【００２４】
本発明による分割されたスピンドルは、ソレノイド錠、又は図１に示されるような対応する機能を実装する機械的な錠に装着可能である。特にスピンドルの長手方向の力１２が外側のスピンドル部分２２に加えられた場合、連結ピンとスピンドル部分の間の回転、及びわずかな接触領域により従動部９への望ましくない力の伝達が防止される。記載された実施例も、スピンドル部分に加えられた側方の力による従動部への望ましくない力の伝達を考慮する。
【００２５】
本発明による分割されたスピンドルは、力ずくで錠を開く試みがなされる場合に、ハンドルが最初に破損し、それに続いてスピンドルが破損し、最後に錠が破損するように構成されることが好ましい。
【００２６】
本発明によるスピンドル構造は、製造するのが容易な耐久性のある構造を実現するのに使用できる。構造は、侵入に対して強くかつ安全であり、いくつかの不法侵入及び器物破損行為の試験の要件を満たす。
【００２７】
上記に示された実施例から、本発明の実施例は様々な異なる解決策を使用して形成できることが明白である。本発明は本テキストに示した実施例に限定されず、本発明の理念の範囲内にある多くのその他の異なる実施例で実施できることも明白である。
【図面の簡単な説明】
【００２８】
【図１】従来技術の分割されたスピンドルの実施例を示す。
【図２】部品が分離された本発明による分割されたスピンドルの実施例を示す図である。
【図３】組み立てられた場合の本発明による分割されたスピンドルの実施例を示す図である。
【図１】
2009536279.tif 000003
【図２】
2009536279.tif 000004
【図３】
2009536279.tif 000005
【手続補正書】
【提出日】平成20年2月7日(2008.2.7)
【手続補正１】
【補正対象書類名】特許請求の範囲
【補正対象項目名】全文
【補正方法】変更
【補正の内容】
【特許請求の範囲】
【請求項１】
第１のスピンドル部分（２１）、第２のスピンドル部分（２２）、前記スピンドル部分を相互連結する連結ピン（２３）を備える錠の分割されたスピンドルであって、両方の部分が、断面が丸い前記連結ピン（２３）用のボア（２７、２８）を備える錠の分割されたスピンドルであって、前記連結ピン（２３）が、前記ピンの表面の周りを通る、前記連結ピンのシャフトに対して横断方向に、前記連結ピンの端部の両方に近接した溝（３１、３２）があり、
両方のスピンドル部分（２１、２２）が、スピンドル・シャフトに対して横断方向に、前記連結ピン用の前記ボア（２８、２７）に接触する装着穴（２９、３０）を有し、
前記分割されたスピンドルが、前記装着穴（２９、３０）に装着可能であり、前記スピンドル部分に固有の前記コッタが前記連結ピンの端部に近接した前記横断方向の溝に落ち込むように、前記連結ピンが前記スピンドル部分内の前記穴（２８、２７）に装着され、前記コッタ（２４、２５）が前記装着穴（２９、３０）に装着された場合に、回転する様式で前記スピンドル部分を前記連結ピンに連結する、各スピンドル部分に固有のコッタ（２４、２５）を備え、
前記コッタ（２５）のうちの少なくとも１つが、前記コッタのシャフトに対して横断方向の装着ロッド（３３）を備え、前記スピンドル部分（２１、２２）のうちの少なくとも１つが、前記装着穴（３０）に連結されたその表面に溝（３４）を備え、前記コッタ（２５）が前記スピンドル部分の装着穴にあるように、前記コッタの前記装着ロッドが前記スピンドル部分の前記表面の前記溝（３４）に装着可能であることを特徴とするスピンドル。
【請求項２】
前記スピンドル部分の前記表面の前記溝（３４）が、前記スピンドル部分の前記シャフトに対して傾斜し、又は平行であることができることを特徴とする、請求項１に記載のスピンドル。
【請求項３】
前記コッタ（２４、２５）の断面が丸いことを特徴とする、請求項１から２までのいずれかに記載のスピンドル。
【請求項４】
前記連結ピン（２３）が、その中間点に対して長手方向に対称であることを特徴とする、請求項１から３までのいずれかに記載のスピンドル。
【請求項５】
前記連結ピン（２３）が、その中間点に対して長手方向に非対称であることを特徴とする、請求項１から３までのいずれかに記載のスピンドル。
【請求項６】
前記連結ピンの前記横断方向の溝（３１、３２）の断面が長方形又は弓形であることを特徴とする、請求項１から５までのいずれかに記載のスピンドル。
【請求項７】
前記スピンドル部分（２１、２２）のうちの少なくとも１つがハンドルを装着するための第３のボア（２６）を備えることを特徴とする、請求項１から６までのいずれかに記載のスピンドル。
【請求項８】
前記連結ピン（２３）の前記端部が斜面になっていることを特徴とする、請求項１から７までのいずれかに記載のスピンドル。
【請求項９】
前記スピンドル部分（２１、２２）の前記端部のうちの少なくとも１つが斜面になっていることを特徴とする、請求項１から８までのいずれかに記載のスピンドル。
【国際調査報告】
2009536279.tif 000006
2009536279.tif 000007
2009536279.tif 000008